(57)【要約】【課題】構造が複雑化したり大型化することなく、より多くの紙幣を集積収納して繰り出すことができる紙幣出金装置11を提供する。【解決手段】紙幣出金装置本体12内に、紙幣Ｐを収納する収納部15、収納部15内の紙幣Ｐを繰り出す繰出部19、繰り出した紙幣Ｐを搬送する搬送部21、搬送する紙幣Ｐを集積した後に一括して出金口13に払い出す一時保留部23を配置する。収納部15には、紙幣出金装置本体12の前面から見て奥行方向に紙幣Ｐの面が対向する向きとして、その奥行方向に沿って複数枚の紙幣Ｐを集積する。繰出部19により、収納部15の奥側から、収納部15内の紙幣Ｐを繰り出す。【選択図】図１
2010211278.tif 000002
【特許請求の範囲】
【請求項１】
前面に紙葉類投出部を有する紙葉類処理装置本体と、
前記紙葉類処理装置本体の前面から見て奥行方向に紙葉類の面が対向する向きとして、その奥行方向に沿って複数枚の紙葉類を集積する収納部と、
この収納部内の紙葉類を繰り出す繰出部と、
この繰出部で繰り出された紙葉類を前記紙葉類投出部へ向けて搬送する搬送部と
を具備していることを特徴とする紙葉類処理装置。
【請求項２】
前記繰出部は、前記収納部の奥側から前記収納部内の紙葉類を繰り出す
ことを特徴とする請求項１に記載の紙葉類処理装置。
【請求項３】
前記収納部が設けられ、前記紙葉類処理装置本体の前面から奥行方向に着脱可能とするカセットを具備している
ことを特徴とする請求項１または２に記載の紙葉類処理装置。
【請求項４】
前記繰出部で前記収納部内の紙葉類を繰り出す方向は、前記紙葉類投出部へ向けた方向である
ことを特徴とする請求項１ないし３いずれかに記載の紙葉類処理装置。
【請求項５】
前記搬送部で搬送する紙葉類を識別する識別部と、
この識別部で投出不可と識別された紙葉類を収納するリジェクト部と、
前記搬送部で搬送する投出分の紙葉類を集積して一時保留可能とし、一時保留した紙葉類が前記識別部で投出可と識別されている場合には一時保留した紙葉類を一括して前記紙葉類投出部に送り込み、一時保留した紙葉類に前記識別部で投出不可と識別された紙葉類が含まれている場合には一時保留した紙葉類を前記リジェクト部に送り込む一時保留部とを具備している
ことを特徴とする請求項１ないし４いずれかに記載の紙葉類処理装置。
【請求項６】
前記収納部および前記繰出部は前記紙葉類処理装置本体内で上下に複数配置されているとともに、これら各収納部に対応する各繰出部の位置は前記紙葉類処理装置本体の奥行方向にずれている
ことを特徴とする請求項１ないし５いずれかに記載の紙葉類処理装置。
【発明の詳細な説明】
【技術分野】
【０００１】
本発明は、紙葉類を処理する紙葉類処理装置に関する。
【背景技術】
【０００２】
従来、紙葉類処理装置としては、例えば、コンビニエンスストア、パチンコホールなどに設置される現金出金機に搭載され、紙葉類として紙幣を出金する紙幣出金装置などがある。
【０００３】
この紙幣出金装置では、紙幣出金装置本体内の収納部に複数枚の紙幣を集積収納しておき、出金時において、収納部内の紙幣を１枚ずつ繰り出し、繰り出した紙幣を搬送しながら識別し、一時保留部に一時保留する。正規と識別された出金分の紙幣が一時保留部に集積されたら、一時保留部内の紙幣を一括して出金部に払い出し、また、正規と識別されなかった紙幣が一時保留部に搬送されたら、一時保留部内の紙幣をリジェクト部に回収している（例えば、特許文献１参照。）。
【０００４】
収納部では、紙幣の面を上下方向に対向する向きとして、複数枚の紙幣を上下方向に集積収納し、この集積収納した紙幣を引張ばねの付勢力によって上方へ持ち上げ、最上部に位置する紙幣を繰出ベルトに押し付けている。そして、出金時において、繰出ベルトの回転により最上位に位置する紙幣から順に１枚ずつ繰り出している。
【先行技術文献】
【特許文献】
【０００５】
【特許文献１】特開平８−１０４４５３号公報（第５頁、図２）
【発明の概要】
【発明が解決しようとする課題】
【０００６】
ところで、紙幣出金装置の収納部については、紙幣出金装置本体の一部ではなく、現金運搬を委託された現金輸送業者である警備輸送（警送）業者が扱えるように、紙幣出金装置本体に対して着脱可能なカセット化することが考えられる。このような場合、紙幣の補充回数を減らすために、収納部の紙幣収納枚数をこれまでより多くする必要がある。
【０００７】
しかしながら、収納部に、より多くの枚数の紙幣を上下方向に集積収納すると、集積紙幣の重さが増大するために、引張ばねでは紙幣を上方へ持ち上げることが不可能となり、何らかの持上駆動機構が必要となるため、構造が複雑化し、大型化する問題がある。
【０００８】
本発明は、このような点に鑑みなされたもので、構造が複雑化したり大型化することなく、より多くの紙葉類を集積収納して繰り出すことができる紙葉類処理装置を提供することを目的とする。
【課題を解決するための手段】
【０００９】
請求項１に記載の紙葉類処理装置は、前面に紙葉類投出部を有する紙葉類処理装置本体と、前記紙葉類処理装置本体の前面から見て奥行方向に紙葉類の面が対向する向きとして、その奥行方向に沿って複数枚の紙葉類を集積する収納部と、この収納部内の紙葉類を繰り出す繰出部と、この繰出部で繰り出された紙葉類を前記紙葉類投出部へ向けて搬送する搬送部とを具備しているものである。
【００１０】
請求項２に記載の紙葉類処理装置は、請求項１に記載の紙葉類処理装置において、前記繰出部は、前記収納部の奥側から前記収納部内の紙葉類を繰り出すものである。
【００１１】
請求項３に記載の紙葉類処理装置は、請求項１または２に記載の紙葉類処理装置において、前記収納部が設けられ、前記紙葉類処理装置本体の前面から奥行方向に着脱可能とするカセットを具備しているものである。
【００１２】
請求項４に記載の紙葉類処理装置は、請求項１ないし３いずれかに記載の紙葉類処理装置において、前記繰出部で前記収納部内の紙葉類を繰り出す方向は、前記紙葉類投出部へ向けた方向であるものである。
【００１３】
請求項５に記載の紙葉類処理装置は、請求項１ないし４いずれかに記載の紙葉類処理装置において、前記搬送部で搬送する紙葉類を識別する識別部と、この識別部で投出不可と識別された紙葉類を収納するリジェクト部と、前記搬送部で搬送する投出分の紙葉類を集積して一時保留可能とし、一時保留した紙葉類が前記識別部で投出可と識別されている場合には一時保留した紙葉類を一括して前記紙葉類投出部に送り込み、一時保留した紙葉類に前記識別部で投出不可と識別された紙葉類が含まれている場合には一時保留した紙葉類を前記リジェクト部に送り込む一時保留部とを具備しているものである。
【００１４】
請求項６に記載の紙葉類処理装置は、請求項１ないし５いずれかに記載の紙葉類処理装置において、前記収納部および前記繰出部は前記紙葉類処理装置本体内で上下に複数配置されているとともに、これら各収納部に対応する各繰出部の位置は前記紙葉類処理装置本体の奥行方向にずれているものである。
【発明の効果】
【００１５】
請求項１に記載の紙葉類処理装置によれば、収納部に、紙葉類処理装置本体の前面から見て奥行方向に紙葉類の面が対向する向きとして、その奥行方向に沿って複数枚の紙葉類を集積することにより、集積された紙葉類を収納部の底面で支えることができ、収納部に集積収納する紙葉類の枚数が多くても、紙葉類を上下方向に集積する場合のような持上駆動機構が必要なく、そのため構造が複雑化したり大型化することなく、より多くの紙葉類を集積収納して繰り出すことができ、さらに、紙幣の繰出部に対する押え力が、紙幣の枚数によって影響を受けるのを小さくすることができる。
【００１６】
請求項２に記載の紙葉類処理装置によれば、請求項１に記載の紙葉類処理装置の効果に加えて、繰出部で収納部の奥側から収納部内の紙葉類を繰り出すことにより、紙葉類処理装置本体の前面からの収納部の引き出し構造や着脱構造に容易に対応できる。
【００１７】
請求項３に記載の紙葉類処理装置によれば、請求項１または２に記載の紙葉類処理装置の効果に加えて、紙葉類処理装置本体の前面から奥行方向に着脱可能とするカセットに収納部を設けたことにより、紙葉類の装填を容易にできる。
【００１８】
請求項４に記載の紙葉類処理装置によれば、請求項１ないし３いずれかに記載の紙葉類処理装置の効果に加えて、繰出部で収納部内の紙葉類を繰り出す方向は、紙葉類投出部へ向けた方向であり、搬送部を短く、簡素化できる。
【００１９】
請求項５に記載の紙葉類処理装置によれば、請求項１ないし４いずれかに記載の紙葉類処理装置の効果に加えて、搬送部で搬送する投出分の紙葉類を一時保留部に集積して一時保留することにより、一時保留部に一時保留した紙葉類が識別部で投出可と識別されている場合には一時保留した紙葉類を一括して紙葉類投出部に送り込み、一時保留した紙葉類に識別部で投出不可と識別された紙葉類が含まれている場合には一時保留した紙葉類をリジェクト部に送り込むことができる。
【００２０】
請求項６に記載の紙葉類処理装置によれば、請求項１ないし５いずれかに記載の紙葉類処理装置の効果に加えて、複数の収納部が上下に配置されていても、各収納部に対応する各繰出部の位置を紙葉類処理装置本体の奥行方向にずらすことにより、各収納部から搬送部に紙葉類を繰り出すことができる。
【図面の簡単な説明】
【００２１】
【図１】本発明の紙葉類処理装置の第１の実施の形態を示す紙幣出金装置の断面図である。
【図２】同上紙幣出金装置のカセットを示し、(a)はシャッタ閉鎖状態のカセットの斜視図、(b)はシャッタ開放状態のカセットの斜視図である。
【図３】同上カセットのロック機構の解除およびシャッタの開放を(a)〜(c)の順に示す側面図である。
【図４】同上カセットのロック機構の解除を(a)(b)の順に示す側面図である。
【図５】第２の実施の形態を示す紙幣出金装置の断面図である。
【発明を実施するための形態】
【００２２】
以下、本発明の実施の形態を、図面を参照して説明する。
【００２３】
図１ないし図４に第１の実施の形態を示す。
【００２４】
図１には、紙葉類処理装置として、紙葉類としての紙幣Ｐを出金する紙幣出金装置11を示す。この紙幣出金装置11は、例えばコンビニエンスストアに設置される現金出金機などに搭載される。
【００２５】
紙幣出金装置11は、紙葉類処理装置本体としての紙幣出金装置本体12を有し、この紙幣出金装置本体12の前面上部に、出金する紙幣Ｐを払い出す紙葉類投出部としての出金部である出金口13が配設されている。
【００２６】
出金口13の位置より下側であって、紙幣出金装置本体12の下部には、紙幣出金装置本体12の前面から奥行方向（前後方向）に着脱可能に装填されるカセット14が配置されている。このカセット14には、下部に出金用の紙幣Ｐを集積収納する収納部15が設けられているとともに、上部にリジェクト紙葉類としてのリジェクト紙幣を収納するリジェクト部16が設けられている。
【００２７】
収納部15では、紙幣出金装置本体12の前面から見て奥行方向に紙幣Ｐの面が対向する向きとするとともに、紙幣Ｐの長手方向を上下方向の向きとし（言い換えれば、紙幣Ｐの短手方向を左右方向である紙幣出金装置本体12の幅方向とし）、その奥行方向に沿って複数枚の紙幣Ｐを集積収納する。集積収納した紙幣Ｐは収納部15の底面15aで支える。収納部15内には、収納部15内を奥行方向に移動可能で収納部15に集積収納した最も前側の紙幣Ｐの前面側を押えるステージ17、およびこのステージ17を介して紙幣Ｐを奥行方向へ向けて付勢する例えば圧縮ばねや引っ張りばねなどの付勢部材18が配置されている。
【００２８】
リジェクト部16では、紙幣Ｐの面が上下方向に対向する向きで、複数枚の紙幣Ｐを水平に集積収納可能とする。
【００２９】
カセット14の一側面には側板14aが開閉可能に設けられている。カセット14を紙幣出金装置本体12から取り出した状態で、カセット14の側板14aを開くことにより、収納部15およびリジェクト部16が開放され、収納部15への紙幣Ｐの装填、リジェクト部16からの紙幣Ｐの回収が可能となっている。
【００３０】
また、紙幣出金装置本体12内には、カセット14の位置の奥側に、このカセット14の収納部15内の紙幣Ｐを出金口13へ向けた繰出方向である上方へ向けて１枚ずつ繰り出す繰出部19が配置されている。この繰出部19は、収納部15内の最も奥側の紙幣Ｐの面に接触して収納部15内から上方へ繰り出す図示しない繰出ベルト、繰り出される最も奥側の紙幣Ｐにつられて一緒に繰り出されようとする奥側から２枚目以降の紙幣Ｐの繰り出しを規制する逆転ローラ20などを備えている。
【００３１】
紙幣出金装置本体12内には、繰出部19で繰り出された紙幣Ｐを出金口13へ向けて搬送する搬送部21が配置されている。この搬送部21は、搬送路の両側に図示しない搬送ベルトを配置し、これら両側の搬送ベルト間に紙幣Ｐを挟み込んで搬送する。この搬送部21には搬送する紙幣Ｐを識別する識別部22が配置されている。
【００３２】
紙幣出金装置本体12内には、搬送部21と出金口13との間に、識別部21で識別した紙幣Ｐを集積して一時保留する一時保留部23が配置されている。この一時保留部23では、一時保留した１回の出金分の紙幣Ｐが識別部22で投出可（正規）と識別されている場合、一時保留した紙幣Ｐを一括して出金口13に払い出し、また、一時保留した紙幣Ｐに識別部22で投出不可（識別不能や金種異常など）と識別された紙幣Ｐが含まれている場合、一時保留した紙幣Ｐをカセット14のリジェクト部16に送り込んで収納させる。
【００３３】
また、紙幣出金装置本体12の前面やカセット14の前面には、カセット14を紙幣出金装置本体12に施錠する図示しない錠前が配置されている。この錠前は、現金運搬を委託された現金輸送業者である警備輸送（警送）業者が持つキーによって解錠され、カセット14の取り出しを許容する。
【００３４】
次に、図２に示すように、カセット14の上面前端側には、一時保留部23から送り込まれる紙幣Ｐをリジェクト部16に受け入れるための受入口30が設けられている。
【００３５】
また、カセット14の収納部15の奥側には、リジェクト部16よりも奥行方向に長く突出する突出部31が設けられている。この突出部31の角部の上面および奥面（後面）に収納部15内の紙幣Ｐを繰り出すための繰出口32が形成され、この繰出口32の上面および奥面を開閉するシャッタ33，34がそれぞれ開閉移動可能に配置されている。上面のシャッタ33は奥行方向に移動して開閉し、奥面のシャッタ34は上下方向に移動して開閉するもので、これらシャッタ33，34がシャッタ開閉機構35によって連動して開閉される。
【００３６】
図２および図３に示すように、シャッタ開閉機構35は、カセット14の側板14aとは反対側の他側面に配置されており、支点36を中心として揺動するレバー37の一端が上面のシャッタ33に連結され、支点38を中心として揺動するレバー39の一端が奥面のシャッタ34に連結され、これらレバー37，39同士が連動して回動するように連結されている。レバー39は、カセット14に対して奥行方向にスライド可能とするスライド部材40に連結されている。スライド部材40は、図示しないスプリングによって、シャッタ33，34を閉じる方向である奥行方向へ向けて付勢されている。スライド部材40には、カセット14の奥面に設けられた図示しない開放孔に対向する開放作用部41が設けられている。この開放作用部41が外部から作用を受けて前方へ開放移動することにより、スライド部材40およびレバー37，39を介してシャッタ33，34が開放される。
【００３７】
また、図３および図４に示すように、カセット14には、カセット14が紙幣出金装置本体12から取り出されているときに、シャッタ33，34の閉鎖位置で開放作用部41をロックするロック機構43が設けられている。このロック機構43は、ロックレバー44を有し、このロックレバー44が上下方向にスライド可能に設けられ、上方のロック位置へのスライドによってロックレバー44の上端部が開放作用部41に係合して開放作用部41の開放移動を阻止し、下方のロック解除位置へのスライドによってロックレバー44の上端部が開放作用部41から外れて開放作用部41の開放移動を許容する。ロックレバー44は、カセット14側に取り付けられる取付部材45との間に張設されたスプリング46（図４(a)にのみ図示し、図４(b)には図示を省略する）によって、開放作用部41に係合するロック位置に付勢されている。
【００３８】
ロックレバー44の近傍に、カム47がカム軸48を中心としての回動可能に配置されている。このカム47の一面にブッシュ49が突設され、ブッシュ49とは反対側でカム47の外周面から突部51が突設されている。カム47は、取付部材45との間に張設されたスプリング52（図４(a)にのみ図示し、図４(b)には図示を省略する）によって、ブッシュ49と突部51とが上下に並ぶ位置に復帰するように付勢されている。
【００３９】
ロックレバー44およびカム47の近傍に、リンク53が支軸54を支点として揺動可能に配置されている。このリンク53の一端がカム47の突部51が当接可能とする回動域に配置され、他端がロックレバー44の下端に係合されている。このリンク53の一端がカム47の突部51で押されて揺動することにより、リンク53の他端でロックレバー44をロック解除位置に押し下げるように構成されている。リンク53は、取付部材45との間に張設されたスプリング55（図４(a)にのみ図示し、図４(b)には図示を省略する）によって、ロックレバー44を下方のロック位置へ押し下げない位置に付勢されている。
【００４０】
図２に示すように、カセット14の奥面には、カム47のブッシュ49の回動領域に対向してロック解除孔56が形成されている。
【００４１】
また、図３に示すように、紙幣出金装置本体12内には、カセット14が装填される奥側位置に、カセット14の奥面の開放孔を通じてシャッタ開閉機構35の開放作用部41を開放移動させてシャッタ33，34を開放させるシャッタ開放部材61と、カセット14の奥面のロック解除孔56を通じてロック機構43によるシャッタ開閉機構35のロックを解除させるロック解除部材62が配置されている。
【００４２】
ロック解除部材62は、細長い板状に形成されていて、紙幣出金装置本体12に対して奥行方向にスライド可能に支持されているとともに図示しないスプリングで前方に付勢されている。
【００４３】
シャッタ開放部材61よりロック解除部材62が前方に位置している。そのため、カセット14を紙幣出金装置本体12内に前方から装填する場合には、まず、ロック解除部材62によってロック機構43によるシャッタ開閉機構35のロックが解除され、その後、シャッタ開放部材61によってシャッタ開閉機構35を動作させてシャッタ33，34が開放される。また、カセット14を紙幣出金装置本体12内から前方へ取り出す場合には、まず、シャッタ開放部材61がシャッタ開閉機構35から外れてシャッタ開閉機構35の動作でシャッタ33，34が閉じ、その後、ロック解除部材62がロック機構43から外れてロック機構43でシャッタ開閉機構35をロックする。
【００４４】
次に、紙幣出金装置11の動作を説明する。
【００４５】
現金出金機側から紙幣出金装置11に出金が指令されると、繰出部19の繰出ベルトを繰出方向に回転させ、繰出ベルトに接する収納部15内の最も奥側の１枚目の紙幣Ｐを収納部15の繰出口32から上方へ引き上げて搬送部21へ繰り出す。繰り出す１枚目の紙幣Ｐにつられて収納部15の繰出口32から引き上げられる奥側から２枚目以降の紙幣Ｐが繰り出されるのを逆転ローラ20によって規制する。したがって、繰出部19から搬送部21へ紙幣Ｐを１枚ずつ繰り出す。なお、紙幣Ｐを繰り出す繰出部19は、繰出ベルトではなく、繰出ローラであってもよい。
【００４６】
繰出部19で繰り出された紙幣Ｐを搬送部21で搬送し、その紙幣Ｐを識別部22で識別した後、一時保留部23に一時保留する。
【００４７】
識別部22で投出可と識別された１回の出金分の紙幣Ｐが一時保留部23に一時保留されると、一時保留部23内の紙幣Ｐを一括して出金口13に払い出す。
【００４８】
識別部22である紙幣Ｐが投出不可と識別された場合には、その紙幣Ｐを一時保留部23に搬送し、一時保留部23からカセット14のリジェクト部16に送り込んで回収する。リジェクトしたために、出金に不足する紙幣Ｐは、繰出部19で再度繰り出す。
【００４９】
そして、収納部15内の紙幣Ｐが繰り出されていくことに伴って、紙幣Ｐの集積枚数が減少していくと、付勢部材18の付勢でステージ17を介して集積収納されている紙幣Ｐを奥側に移動させ、最も奥側となる紙幣Ｐの面を繰出部の繰出ベルトに押し付け、繰出可能とする。
【００５０】
このように、収納部15には、紙幣出金装置本体12の前面から見て奥行方向に紙幣Ｐの面が対向する向きとして、その奥行方向に沿って複数枚の紙幣Ｐを集積することにより、集積された紙幣Ｐを収納部15の底面15aで支えることができ、収納部15に集積収納する紙幣Ｐの枚数が多くても、紙幣Ｐを上下方向に集積する場合のような持上駆動機構が必要なく、付勢部材18で対応できる。そのため、紙幣出金装置11は、構造が複雑化したり大型化することなく、より多くの紙幣Ｐを集積収納して繰り出すことができる。
【００５１】
また、繰出部19で収納部15の奥側から収納部15内の紙幣Ｐを繰り出すことにより、紙幣出金装置本体12の前面からの収納部15の着脱構造や、あるいは引き出し構造にも容易に対応できる。さらに、紙幣出金装置本体12の前面から奥行方向に着脱可能とするカセット14に収納部15を設けたことにより、紙幣Ｐの装填を容易にできる。
【００５２】
また、収納部15から繰り出された紙幣Ｐを識別するにはある程度の搬送距離が必要である。従来のように、収納部内に上下方向に紙幣を集積収納した場合、収納部の上部から繰り出した紙幣をそのまま上方向に搬送すると、搬送距離を稼ぐために、高さ方向のスペースが必要となってしまい、紙幣の集積方向が上下方向で収納部の高さが高いことと相俟って、紙幣出金装置が高さ方向に大型化してしまう。そのため、収納部の上部から繰り出された紙幣を一旦、下方向に搬送して識別し、再度、上方向に搬送し、出金口へ払い出すことで高さ方向に大型化しないようにできるが、これでは、搬送路が長く、複雑化してしまう。また、収納部の下部から紙幣を繰り出すには、紙幣の集積枚数が多く、最下位の紙幣に加わる紙幣の重さが過大になると、最下位の紙幣から順に繰り出すことができない。
【００５３】
本実施の形態では、収納部15に紙幣Ｐを奥行方向に集積収納することにより、紙幣出金装置本体12の高さを低くできるので、繰出部19で収納部15内の紙幣Ｐを繰り出す方向を出金口13へ向けた方向とし、収納部15から出金口13（一時保留部23）までの間に識別部22で紙幣Ｐを識別可能とする搬送部21の長さを確保しても、紙幣出金装置本体12の高さが従来よりも高くなることはない。そのため、繰出部19で収納部15内の紙幣Ｐを繰り出す方向を出金口13へ向けた方向にできるので、搬送部21を短く、簡素化できる。
【００５４】
次に、カセット14の取り出し、装填に伴うシャッタ開閉機構35およびロック機構43の動作を説明する。
【００５５】
図３(a)に示すように、カセット14が紙幣出金装置本体12から取り出されている状態では、シャッタ開閉機構35でシャッタ33，34を閉鎖し、このシャッタ開閉機構35をロック機構43でロックしている。
【００５６】
図３(b)および図４(a)に示すように、カセット14を紙幣出金装置本体12内に前方から装填していくことにより、まず、カセット14の奥面のロック解除孔56からロック解除部材62が差し込まれ、ロック機構43のカム47のブッシュ49がロック解除部材62の先端に当接する。
【００５７】
図４(b)に示すように、ロック解除部材62の先端で押されるカム47が図示反時計回り方向に４５°程度回動することにより、カム47の突部51でリンク53が押されて揺動し、このリンク53の他端でロックレバー44を下方のロック解除位置に押し下げ、ロックレバー44の上端部を開放作用部41から外し、シャッタ開閉機構35のロックを解除する。ロック解除部材62は、ロック解除した後、図示しないスプリングの付勢に抗して、カセット14と一緒に奥行方向に移動する。
【００５８】
シャッタ開閉機構35のロックを解除した後、図３(c)に示すように、カセット14の奥面の開放孔からシャッタ開放部材61が差し込まれ、開放作用部41がシャッタ開放部材61に当接し、スライド部材40がカセット14に対して相対的に前側に移動し、レバー37，39を介してシャッタ33，34を開放する。
【００５９】
また、カセット14を紙幣出金装置本体12内から取り出すために、カセット14を紙幣出金装置本体12内から前方へ移動させることにより、まず、図３(b)に示すように、図示しないスプリングの付勢によりスライド部材40がカセット14に対して相対的に奥側に移動し、レバー37，39を介してシャッタ33，34を閉鎖する。カセット14の奥面の開放孔からシャッタ開放部材61が外れる。
【００６０】
その後、図４(b)において、スプリング46，55の付勢によりロックレバー44およびリンク53を介してカム47が図示時計回り方向に回動し、このカム47の突部51によるリンク53の押動が解除されるため、図４(a)に示すように、ロックレバー44がスプリング46の付勢によって上方のロック位置に移動し、ロックレバー44の上端部が開放作用部41に係合してロックする。
【００６１】
カム47はスプリング52の付勢によって図４(a)に示す位置に復帰する。
【００６２】
そして、カセット14の奥面のロック解除孔56からロック解除部材62が外れる。
【００６３】
したがって、カセット14が紙幣出金装置本体12から取り出されている状態において、カセット14の奥面の開放孔から先の細い物を挿入してシャッタ開閉機構35の開放作用部41を押そうとしても、ロック機構43によってロックされている開放作用部41は開放移動することがなく、シャッタ33，34を閉鎖状態に保つことができる。
【００６４】
なお、ロック機構43の構成部品の変更、追加を行うことで、ロック62の構造をより複雑にし、ロック解除を単純な棒状の部品で行うことができるようにすることも可能である。
【００６５】
次に、図５に第２の実施の形態を示す。
【００６６】
第２の実施の形態では、紙幣出金装置本体12内に、それぞれ収納部15を有する複数のカセット14を上下に配置したものである。各カセット14の収納部15に収納する紙幣Ｐは、同一金種でも、異なる金種でもよい。
【００６７】
各収納部15の奥側位置および各繰出部19の位置は、紙幣出金装置本体12の奥行方向にずらして配置している。すなわち、上側の収納部15の奥側位置および繰出部19の位置より、下側の収納部15の奥側位置および繰出部19の位置が奥側に配置されている。
【００６８】
これにより、複数の収納部15が上下に配置されていても、各収納部15内の紙幣Ｐを搬送部21に繰り出すことができる。
【００６９】
また、第１の実施の形態の紙幣出金装置11に、識別部22、一時保留部23、出金口13を共通にし、搬送部21も一部共有し、搬送部21に通路切換部を配置すれば、大幅な変更を行うことなく、複数の収納部15に対応できる。
【００７０】
また、一時保留部23の直ぐ下に位置する最上部のカセット14に収納部15とともにリジェクト部16を配置すれば、最上部のカセット14以外のカセット14にはリジェクト部16は配置しなくてよい。
【００７１】
なお、２つ以上のより多くの収納部15を配置する場合にも、各収納部15の奥側位置および各繰出部19の位置を紙幣出金装置本体12の奥行方向にずらして配置すればよい。
【００７２】
また、１つのカセット14に複数の収納部15を配置してもよい。
【符号の説明】
【００７３】
11    紙葉類処理装置としての紙幣出金装置
12    紙葉類処理装置本体としての紙幣出金装置本体
13    紙葉類投出部としての出金口
14    カセット
15    収納部
16    リジェクト部
19    繰出部
21    搬送部
22    識別部
23    一時保留部
Ｐ    紙葉類としての紙幣
【図１】
2010211278.tif 000003
【図２】
2010211278.tif 000004
【図３】
2010211278.tif 000005
【図４】
2010211278.tif 000006
【図５】
2010211278.tif 000007